(57)【要約】【課題】  簡易な構造であり、異なる角度の壁面に対しても適用可能であるとともに、細かな角度調整が可能なトラフの壁面設置部材等を提供する。【解決手段】  例えば、最も先端側の内側固定部材挿通孔５と内側固定部材挿通孔１７とを重ね合わせて固定部材で固定すると、壁面設置部１１と支持体固定部２５とのなす角度θ１は、概ね９０°となる。このような態様では、例えば、鉛直に起立した壁面に対して壁面設置部１１を固定すると、支持体固定部２５を略水平に保つことができる。これに対し、最も先端側の外側固定部材挿通孔７と外側固定部材挿通孔１９とを重ね合わせてボルトで固定すると、壁面設置部１１と支持体固定部２５とのなす角度θ２は、９０°からわずかに傾いて連結される。【選択図】図５
2014003883.tif 000002
【特許請求の範囲】
【請求項１】
トラフの壁面設置部材であって、
壁面に固定するための壁面固定部材と、
トラフを支持するトラフ支持部材と、
を具備し、
前記壁面固定部材および前記トラフ支持部材は、互いの連結部を中心として回動可能であり、前記連結部で回動させた際に、所定の角度範囲において重なり合い、固定部材が取り付けられる固定部をそれぞれ有し、
一方の固定部には、少なくとも所定の角度毎に第１の内側固定部材挿通部と前記第１の内側固定部材挿通部よりも外周側の第１の外側固定部材挿通部とが前記連結部を中心として所定距離はなれた円周上にそれぞれ複数併設され、他方の固定部には、少なくとも前記連結部に対して前記第１の内側固定部材挿通部に対応する位置に第２の内側固定部材挿通部が形成され、前記連結部に対して前記第１の外側固定部材挿通部に対応する位置に第２の外側固定部材挿通部が形成され、
前記連結部を中心として、前記第１の内側固定部材挿通部と前記第１の外側固定部材挿通部とのなす角度、または、前記連結部を中心として、前記第２の内側固定部材挿通部と前記第２の外側固定部材挿通部とのなす角度の少なくとも一方が、互いに異なる角度で形成されることを特徴とするトラフの壁面設置部材。
【請求項２】
前記第１の内側固定部材挿通部または前記第１の外側固定部材挿通部の少なくとも一方は、隣り合う前記第１の内側固定部材挿通部同士または前記第１の外側固定部材挿通部同士が、前記第１の内側固定部材挿通部または前記第１の外側固定部材挿通部よりも幅狭のスリットにより相互に連結されて一体化して設けられていることを特徴とする請求項１に記載のトラフの壁面設置部材。
【請求項３】
前記第１の内側固定部材挿通部と前記第１の外側固定部材挿通部、あるいは前記第２の内側固定部材挿通部と前記第２の外側固定部材挿通部のいずれか一方の内側固定部材挿通部と外側固定部材挿通部が前記連結部を中心として互いに異なる角度に角度差を有して形成されることを特徴とする請求項１または請求項２に記載のトラフの壁面設置部材。
【請求項４】
前記角度差は、前記連結部を中心とした相互に隣接する固定部材挿通部同士の配置角度差の１／２であることを特徴とする請求項３記載のトラフの壁面設置部材。
【請求項５】
前記壁面固定部材には、壁面に固定するための孔が形成された壁面設置部が設けられ、前記壁面設置部と前記一方の固定部とが略垂直に形成されることを特徴とする請求項１から請求項４のいずれかに記載のトラフの壁面設置部材。
【請求項６】
前記トラフ支持部材には、トラフを載置する支持体を固定するための孔が形成された支持体固定部が設けられ、前記支持体固定部と前記他方の固定部とが略垂直に形成されることを特徴とする請求項１から請求項５のいずれかに記載のトラフの壁面設置部材。
【請求項７】
前記壁面固定部材には、前記一方の固定部が設けられ、前記トラフ支持部材には、前記他方の固定部が設けられ、
前記他方の固定部の前記第２の内側固定部材挿通部または前記第２の外側固定部材挿通部を、前記一方の固定部の最も基部側における前記第１の内側固定部材挿通部または前記第１の外側固定部材挿通部と重ね合わせて固定した際、前記一方の固定部の先端が、前記トラフ支持部材のトラフ設置面にはみ出さないようにそれぞれの固定部材挿通部が配置されていることを特徴とする請求項１から請求項６のいずれかに記載のトラフの壁面設置部材。
【請求項８】
請求項１から請求項７のいずれかに記載のトラフの壁面設置部材を用い、
前記壁面固定部材が壁面に設置され、
水平面に対する前記一方の固定部の固定角度に応じて、前記他方の固定部を、一方の固定部に対して所定の角度で固定することで、
前記壁面固定部材を取り付ける壁面の傾きに関係なく、前記トラフ支持部材を略水平に配置し、
さらに前記トラフ支持部材の上には、支持体を介してトラフが設置されることを特徴するトラフの設置構造。
【発明の詳細な説明】
【技術分野】
【０００１】
本発明は、鉄道等の軌道に沿って形成される壁面に、トラフを設置することが可能なトラフの壁面設置部材等に関するものである。
【背景技術】
【０００２】
従来、鉄道等の軌道に沿って、内部に電力ケーブルや信号ケーブル等が配置されるトラフが設置される場合がある。このようなトラフは、例えば、地面に立設される支柱上に支持体等を配置し、トラフ橋を形成し、トラフを設置することができる（特許文献１）。
【先行技術文献】
【特許文献】
【０００３】
【特許文献１】特開２００８−２３６８３０号公報
【発明の概要】
【発明が解決しようとする課題】
【０００４】
一方、トラフを設置する部位は、必ずしも平坦ではない。例えば、地面に対して所定の角度で形成された壁面（コンクリート壁や盛土等の側面）にトラフを設置する必要がある場合がある。このような場合には、所定角度の壁面に設置可能な支持部材等が必要となる。また、所定の角度の壁面であっても、必ずしも設置面が平坦ではない。したがって、支持部材を設置する部位において、トラフが水平に設置できるように、トラフの設置面の角度調整が必要な場合がある。
【０００５】
このような場合、一対の部材を連結し、所定角度で組み合わせて固定して使用するトラフの壁面設置部材が考えられる。例えば、一方の部材に複数の固定部材挿通孔を所定間隔であけておき、他方の部材の固定部材挿通孔と重なる位置で、例えばボルトなどの固定部材で止めることで、固定部材挿通孔の配置間隔に応じて、互いの連結角度を調整することができる。したがって、固定部材を固定するために使用する固定部材挿通孔を適宜選択することで、複数の角度の壁面に対してトラフを設置することができる。
【０００６】
しかし、トラフを確実に支持するためには、支持部材本体のみならず、固定部材等にもある程度以上の強度が必要となる。したがって、壁面固定部材とトラフ支持部材相互の連結固定に使用される固定部材としては、所定以上の太さを有するものを選択する必要がある。したがって、前述したように、複数の固定部材挿通孔を併設して、固定部材挿通孔の間隔によって壁面固定部材とトラフ支持部材相互の連結角度を調整しようとしても、固定部材挿通孔の径以下には、固定部材挿通孔同士を近づけることができない。すなわち、固定部材挿通孔の設置間隔が大きくなる分、細かな角度調整を行うことができない。
【０００７】
本発明はこのような問題に鑑みてなされたもので、簡易な構造であり、異なる角度の壁面に対しても適用可能であるとともに、細かな角度調整が可能なトラフの壁面設置部材等を提供することを目的とする。
【課題を解決するための手段】
【０００８】
前述した目的を達するために第１の発明は、トラフの壁面設置部材であって、壁面に固定するための壁面固定部材と、トラフを支持するトラフ支持部材と、を具備し、前記壁面固定部材および前記トラフ支持部材は、互いの連結部を中心として回動可能であり、前記連結部で回動させた際に、所定の角度範囲において重なり合い、固定部材が取り付けられる固定部をそれぞれ有し、一方の固定部には、少なくとも所定の角度毎に第１の内側固定部材挿通部と前記第１の内側固定部材挿通部よりも外周側の第１の外側固定部材挿通部とが前記連結部を中心として所定距離はなれた円周上にそれぞれ複数併設され、他方の固定部には、少なくとも前記連結部に対して前記第１の内側固定部材挿通部に対応する位置に第２の内側固定部材挿通部が形成され、前記連結部に対して前記第１の外側固定部材挿通部に対応する位置に第２の外側固定部材挿通部が形成され、前記連結部を中心として、前記第１の内側固定部材挿通部と前記第１の外側固定部材挿通部とのなす角度、または、前記連結部を中心として、前記第２の内側固定部材挿通部と前記第２の外側固定部材挿通部とのなす角度の少なくとも一方が、互いに異なる角度で形成されることを特徴とするトラフの壁面設置部材である。
【０００９】
前記第１の内側固定部材挿通部または前記第１の外側固定部材挿通部の少なくとも一方は、隣り合う前記第１の内側固定部材挿通部同士または前記第１の外側固定部材挿通部同士が、前記第１の内側固定部材挿通部または前記第１の外側固定部材挿通部よりも幅狭のスリットにより相互に連結されて一体化して設けられていても良い。
【００１０】
すなわち、固定部材挿通部は、独立して複数所定間隔で存在する孔であってもよいが、スリットによって連通する一体構造としてもよい。
【００１１】
前記第１の内側固定部材挿通部と前記第１の外側固定部材挿通部、あるいは前記第２の内側固定部材挿通部と前記第２の外側固定部材挿通部のいずれか一方の内側固定部材挿通部と外側固定部材挿通部が前記連結部を中心として互いに異なる角度に角度差を有して形成されても良い。
【００１２】
前記角度差は、前記連結部を中心とした相互に隣接する固定部材挿通部同士の配置角度差の１／２であることが望ましい。
【００１３】
前記壁面固定部材には、前記一方の固定部が設けられ、前記トラフ支持部材には、前記他方の固定部が設けられ、前記他方の固定部の前記第２の内側固定部材挿通部または前記第２の外側固定部材挿通部を、前記一方の固定部の最も基部側における前記第１の内側固定部材挿通部または前記第１の外側固定部材挿通部と重ね合わせて固定した際、前記一方の固定部の先端が、前記トラフ支持部材のトラフ設置面にはみ出さないようにそれぞれの固定部材挿通部が配置されていることが望ましい。
【００１４】
前記壁面固定部材には、壁面に固定するための孔が形成された壁面設置部が設けられ、前記壁面設置部と前記一方の固定部材固定部とが略垂直に形成されることが望ましい。
【００１５】
前記トラフ支持部材には、トラフを載置する支持体を固定するための孔が形成された支持体固定部が設けられ、前記支持体固定部と前記他方の固定部材固定部とが略垂直に形成されることが望ましい。
【００１６】
第１の発明によれば、壁面固定部材と、トラフ支持部材とを連結して使用するため、壁面固定部材とトラフ支持部材の固定角度を変えることができる。したがって、複数の壁面角度に対しても適用が可能である。
【００１７】
また、壁面固定部材と、トラフ支持部材とには、それぞれ内側固定部材挿通部と外側固定部材挿通部とが形成され、その内の一方において、連結部を中心として、内側固定部材挿通部と外側固定部材挿通部とが異なる直線上に配置される。このため、外側固定部材挿通部を用いるか、内側固定部材挿通部を用いるかによって、壁面固定部材とトラフ支持部材との固定角度を変えることができる。したがって、内側固定部材挿通部同士または外側固定部材挿通部同士それぞれの併設間隔に対して、より細かな角度調整が可能となる。
【００１８】
この場合、複数の固定部材挿通部を併設する側の部材、または、一対の固定部材挿通部を有する側の部材の内側固定部材挿通部と外側固定部材挿通部を、連結部を通る同一直線上に配置し、他方の部材において、内側固定部材挿通部と外側固定部材挿通部とを、連結部を通る異なる直線上に配置することで、作業性に優れる。
【００１９】
また、連結部を中心とした円上において、他方の側の内側固定部材挿通部と外側固定部材挿通部の配置角度差を、一方の側の内側固定部材挿通部または外側固定部材挿通部同士の配置角度差の１／２とすることで、固定部材挿通部の太さによって制限される固定部材挿通部間隔に対して、さらに１／２のピッチで角度調整を行うことができる。
【００２０】
また、任意の固定部材挿通部同士で壁面固定部材とトラフ支持部材とを連結固定した際に、トラフ設置面側に、壁面固定部材がはみ出さないため、トラフの設置の妨げとなることがない。
【００２１】
また、壁面固定部材には、壁面に固定するための孔が形成された壁面設置部が設けられ、壁面設置部と壁面固定部材固定部とが略垂直に形成されるため、壁面固定部材を容易に壁面に固定することができる。
【００２２】
また、トラフ支持部材には、トラフを載置する支持体を固定するための孔が形成された支持体固定部が設けられ、支持体固定部と固定部材固定部とが略垂直に形成されるため、支持体固定部上に容易に支持体およびトラフを設置することができる。
【００２３】
第２の発明は、第１の発明にかかるトラフの壁面設置部材を用い、前前記壁面固定部材が壁面に設置され、水平面に対する前記一方の固定部の固定角度に応じて、前記他方の固定部を、一方の固定部に対して所定の角度で固定することで、前記壁面固定部材を取り付ける壁面の傾きに関係なく、前記トラフ支持部材を略水平に配置し、さらに前記トラフ支持部材の上には、支持体を介してトラフが設置されることを特徴するトラフの設置構造である。
【００２４】
第２の発明によれば、トラフの壁面設置部材を設置する部位の壁面の角度に対して、細かく角度調整が可能であるため、トラフを略水平に設置することができる。
【発明の効果】
【００２５】
本発明によれば、簡易な構造であり、異なる角度の壁面に対しても適用可能であるとともに、細かな角度調整が可能なトラフの壁面設置部材等を提供することができる。
【図面の簡単な説明】
【００２６】
【図１】壁面固定部材１を示す斜視図。
【図２】壁面固定部材１を示す平面図。
【図３】トラフ支持部材１３を示す斜視図。
【図４】トラフ支持部材１３を示す平面図。
【図５】壁面固定部材１とトラフ支持部材１３とを連結固定した状態を示す図。
【図６】壁面固定部材１とトラフ支持部材１３とを連結固定した状態を示す図。
【図７】トラフ支持部材１３ａを示す斜視図。
【図８】トラフ支持部材１３ａを示す平面図。
【図９】壁面固定部材１とトラフ支持部材１３ａとを連結固定した状態を示す図。
【図１０】壁面固定部材１とトラフ支持部材１３ａとを連結固定した状態を示す図。
【図１１】壁面固定部材１とトラフ支持部材１３とを連結固定してトラフ２９を設置した状態を示す正面図。
【図１２】壁面固定部材１とトラフ支持部材１３とを連結固定してトラフ２９を設置した状態を示す側面図。
【図１３】壁面固定部材１ａを示す平面図。
【図１４】トラフ支持部材１３ｂを示す平面図。
【図１５】壁面固定部材１ｂを示す平面図。
【発明を実施するための形態】
【００２７】
以下、図面を参照しながら、本発明の実施形態について説明する。図１はトラフの壁面設置部材を構成する壁面固定部材１を示す斜視図、図２は、壁面固定部材１を示す平面図である。壁面固定部材１は、略Ｌ字状の部材であり、固定部材固定部９および壁面設置部１１等から構成される。壁面固定部材１は、例えば金属板をプレス加工することにより製造される。
【００２８】
壁面固定部材１の上端部には、連結部３が形成される。連結部３は、後述するトラフ支持部材１３との連結時にボルトなどの固定部材が挿通される孔である。連結部３とは逆側（図中下方）の端部近傍には、固定部材固定部９が設けられる。固定部材固定部９は、複数の内側固定部材挿通孔５および複数の外側固定部材挿通孔７からなる。内側固定部材挿通孔５および外側固定部材挿通孔７は、それぞれ、ボルトなどの固定部材が挿通されて固定される部位である。
【００２９】
壁面固定部材１の上下方向に沿って、連結部３および固定部材固定部９の形成面に対して略垂直に折り曲げられて壁面設置部１１が形成される。壁面設置部１１には、孔１２が形成される。孔１２は、壁面に対してアンカ等によって固定する際に用いられる。
【００３０】
図２に示すように、第１の内側固定部材挿通部である内側固定部材挿通孔５は、連結部３の中心（図中Ａ）を中心として、同一円上（半径Ｂ）に等間隔に配置される。また、第１の外側固定部材挿通部である外側固定部材挿通孔７は、連結部３の中心（図中Ａ）を中心として、内側固定部材挿通孔５よりも外側であって、同一円上（半径Ｃ）に等間隔に配置される。すなわち、連結部３から内側固定部材挿通孔５が配置される距離Ｂに対して、連結部３から外側固定部材挿通孔７が配置される距離Ｃが大きい。
【００３１】
また、それぞれの内側固定部材挿通孔５同士および外側固定部材挿通孔７同士は、互いに同一角度（Ｄ）毎に配置される。なお、内側固定部材挿通孔５同士（または外側固定部材挿通孔７同士）のなす角度は、できるだけ小さい方が望ましい。例えば、内側固定部材挿通孔５同士（または外側固定部材挿通孔７同士）のなす角度は、５°の間隔で配置される。この際、連結部３を通る任意の基準線に対して、内側固定部材挿通孔５および外側固定部材挿通孔７が同一の角度で配置される。すなわち、内側固定部材挿通孔５および外側固定部材挿通孔７は、連結部３を通る同一の直線上にそれぞれ配置される。
【００３２】
次に、壁面固定部材１と連結されるトラフ支持部材１３について説明する。図３は、トラフ支持部材１３を示す斜視図、図４は、トラフ支持部材１３を示す平面図である。トラフ支持部材１３は、略Ｌ字状の部材であり、固定部材固定部２１および支持体固定部２５等から構成される。トラフ支持部材１３は、例えば金属板をプレス加工することにより製造される。
【００３３】
トラフ支持部材１３の一方の端部には、連結部１５が形成される。連結部１５は、壁面固定部材１の連結部３と連結される孔である。連結部１５とは逆側の端部には、固定部材固定部２１が設けられる。固定部材固定部２１は、内側固定部材挿通孔１７および外側固定部材挿通孔１９からなる。内側固定部材挿通孔１７および外側固定部材挿通孔１９は、それぞれ、ボルトなどの固定部材が挿通されて固定される部位である。
【００３４】
トラフ支持部材１３の幅方向に沿って、連結部１５および固定部材固定部２１の形成面に対して略垂直に折り曲げられて支持体固定部２５が形成される。支持体固定部２５には、孔２３が形成される。孔２３は、上部にトラフを支持する支持体を固定する際に用いられる。なお、孔２３を長穴としておくことで、トラフ支持部材１３の幅方向に対して、トラフ支持体の設置位置を調整することができる。
【００３５】
図４に示すように、第２の内側固定部材挿通部である内側固定部材挿通孔１７が設けられ、連結部１５の中心（図中Ｅ）から距離Ｆの位置に配置される。また、第２の外側固定部材挿通部である外側固定部材挿通孔１９は、内側固定部材挿通孔１７よりも外側であって、連結部１５の中心（図中Ｅ）から距離Ｇの位置に配置される。すなわち、連結部１５から内側固定部材挿通孔１７が配置される距離Ｆに対して、連結部１５から外側固定部材挿通孔１９が配置される距離Ｇが大きい。
【００３６】
ここで、前述した、壁面固定部材１における、連結部３と内側固定部材挿通孔５との距離Ｂと、トラフ支持部材１３における、連結部１５と内側固定部材挿通孔１７との距離Ｆは等しい。同様に、壁面固定部材１における、連結部３と外側固定部材挿通孔７との距離Ｃと、トラフ支持部材１３における、連結部１５と外側固定部材挿通孔１９との距離Ｇは等しい。したがって、連結部３と連結部１５とを重ねた際に、内側固定部材挿通孔５と内側固定部材挿通孔１７とは対応する位置に配置され、外側固定部材挿通孔７と外側固定部材挿通孔１９とは対応する位置に配置される。
【００３７】
また、連結部１５の中心Ｅと内側固定部材挿通孔１７とを結ぶ直線に対して、連結部１５の中心Ｅと外側固定部材挿通孔１９とを結ぶ直線は、角度Ｈだけずれるように配置される。なお、連結部１５の中心Ｅに対して、内側固定部材挿通孔１７と外側固定部材挿通孔１９とのなす角度Ｈとしては、前述した、壁面固定部材１における内側固定部材挿通孔５同士（または外側固定部材挿通孔７同士）のなす角度の１／２であることが望ましい。例えば、壁面固定部材１における内側固定部材挿通孔５同士（または外側固定部材挿通孔７同士）のなす角度Ｄが５°であれば、連結部１５の中心Ｅに対して、内側固定部材挿通孔１７と外側固定部材挿通孔１９とのなす角度Ｈは２．５°とすることが望ましい。
【００３８】
次に、壁面固定部材１とトラフ支持部材１３とを連結したトラフ壁面固定部材１０について説明する。図５（ａ）は、壁面固定部材１の連結部３とトラフ支持部材１３の連結部１５とを固定部材で連結した状態を示す図である。図５（ａ）に示すように、例えば、最も先端側の内側固定部材挿通孔５と内側固定部材挿通孔１７とを重ね合わせて（図中黒丸）固定部材で固定すると、壁面設置部１１と支持体固定部２５とのなす角度θ１は、概ね９０°となる。このような態様では、例えば、鉛直に起立した壁面に対して壁面設置部１１を固定すると、支持体固定部２５を略水平に保つことができる。
【００３９】
これに対し、図５（ｂ）は、最も先端側の外側固定部材挿通孔７と外側固定部材挿通孔１９とを重ね合わせて（図中黒丸）固定部材で固定した状態を示す図である。前述の通り、壁面固定部材１において、連結部３に対して、最端部の内側固定部材挿通孔５と外側固定部材挿通孔７は同一線上に配置されるが、トラフ支持部材１３において、内側固定部材挿通孔１７と外側固定部材挿通孔１９とが角度Ｈだけずれている。したがって、壁面設置部１１と支持体固定部２５とのなす角度θ２は、９０°からわずかに傾いて連結される。
【００４０】
すなわち、図５（ａ）のθ１に対して角度Ｉ（＝角度Ｈ）だけ連結角度がずれる。このような態様では、例えば、水平に対してθ２（角度Ｈが２．５°であれば、８７．５°）に起立した壁面に対して壁面設置部１１を固定すると、支持体固定部２５を略水平に保つことができる。
【００４１】
以上のように、内側固定部材挿通孔１７といずれかの内側固定部材挿通孔５、または外側固定部材挿通孔１９といずれかの外側固定部材挿通孔７とを適宜選択して固定することで、所望の角度で連結角度を調整することができる。例えば、内側固定部材挿通孔５同士（または外側固定部材挿通孔７同士）の配置角度を５°とすれば、内側固定部材挿通孔１７を、それぞれの内側固定部材挿通孔５に固定することで、連結角度を５°ずつ調整することができる。同様に、外側固定部材挿通孔１９を、それぞれの外側固定部材挿通孔７に固定することで、連結角度を５°ずつ調整することができる。さらに、内側固定部材挿通孔１７と外側固定部材挿通孔１９との角度が２．５°とすれば、内側固定部材挿通孔１７と外側固定部材挿通孔１９とを適宜選択することで、連結角度を２．５°ずつ調整することができる。
【００４２】
図６は、最も基部（固定部材固定部９の内、壁面設置部１１に最も近い固定部材挿通孔）の内側固定部材挿通孔５と内側固定部材挿通孔１７とを重ね合わせて（図中黒丸）固定部材で固定した状態を示す図である。この場合には、壁面設置部１１と支持体固定部２５とのなす角度はθ３となる。この際、壁面固定部材１の先端が、支持体固定部２５の上面側にははみ出さないように壁面固定部材１およびトラフ支持部材１３のサイズが設定される。壁面設置部１１の先端が支持体固定部２５の上面側にはみ出すと、支持体等の設置の妨げとなるためである。同様に、トラフ支持部材１３の先端が、壁面設置部１１側にはみ出さないように壁面固定部材１およびトラフ支持部材１３のサイズが設定される。壁面への固定の妨げとなるためである。
【００４３】
このような制約があるため、トラフ壁面固定部材１０は、連結角度の調整範囲は所定範囲に制限される。例えば、図５〜図６に示した例において、最も大きな角度θ１から最も小さな角度θ３としては、例えば、９０°〜５５°程度で設定される。すなわち、トラフ壁面固定部材１０を用いれば、水平面に対して、５５°〜９０°の壁面に対して、例えば２．５°毎に連結角度を調整することができる。
【００４４】
さらに５５°以下の壁面に対して適用するためには、トラフ支持部材１３に代えて、例えば、図７および図８に示すようなトラフ支持部材１３ａを用いればよい。トラフ支持部材１３ａは、トラフ支持部材１３と略同様の構成であるが、連結部１５と、内側固定部材挿通孔１７および外側固定部材挿通孔１９の配置に対する支持体固定部２５の角度が異なる。
【００４５】
図８に示すように、内側固定部材挿通孔１７は、連結部１５の中心（図中Ｊ）から距離Ｋの位置に配置される。また、外側固定部材挿通孔１９は、内側固定部材挿通孔１７よりも外側であって、連結部１５の中心（図中Ｊ）から距離Ｌの位置に配置される。すなわち、連結部１５から内側固定部材挿通孔１７が配置される距離Ｋに対して、連結部１５から外側固定部材挿通孔１９が配置される距離Ｌが大きい。なお、距離Ｋは前述した距離Ｂ（距離Ｆ）と等しく、距離Ｌは前述した距離Ｃ（距離Ｇ）と等しい。したがって、トラフ支持部材１３ａもトラフ支持部材１３と同様にして、壁面固定部材１と連結固定することができる。
【００４６】
また、連結部１５の中心Ｊと内側固定部材挿通孔１７とを結ぶ直線に対して、連結部１５の中心Ｊと外側固定部材挿通孔１９とを結ぶ直線は、角度Ｍだけずれるように配置される。なお、角度Ｍは、トラフ支持部材１３における角度Ｈと等しい。
【００４７】
図９（ａ）は、壁面固定部材１の連結部３とトラフ支持部材１３ａの連結部１５とを固定部材で連結したトラフ壁面固定部材１０ａを示す図である。図９（ａ）に示すように、例えば、最も先端側の内側固定部材挿通孔５と内側固定部材挿通孔１７とを重ね合わせて（図中黒丸）固定部材で固定すると、壁面設置部１１と支持体固定部２５とのなす角度θ４は、例えば５５°となるようにトラフ支持部材１３ａの形状を設定する。すなわち、トラフ壁面固定部材１０における最も小さな連結角度と略同様の角度となるように設定すればよい。このようにすることで、トラフ壁面固定部材１０で対応できない壁面に対しても、トラフ壁面固定部材１０ａを用いることで、対応することができる。
【００４８】
また、トラフ壁面固定部材１０と同様に、図９（ｂ）に示すように、最も先端側の外側固定部材挿通孔７と外側固定部材挿通孔１９とを重ね合わせて（図中黒丸）固定部材で固定すると、図９（ａ）のθ４に対して角度Ｍだけ連結角度がずれる。このような態様では、例えば、水平に対してθ５（θ４−角度Ｍ）に起立した壁面に対して壁面設置部１１を固定すると、支持体固定部２５を略水平に保つことができる。すなわち、前述したトラフ支持部材１３と同様の角度毎にトラフ支持部材１３ａとトラフ壁面固定部材１０との角度調整を行うことができる。
【００４９】
図１０は、最も基部（固定部材固定部９の内、壁面設置部１１に最も近い固定部材挿通孔）の内側固定部材挿通孔５と内側固定部材挿通孔１７とを重ね合わせて（図中黒丸）固定部材で固定した状態を示す図である。この場合には、壁面設置部１１と支持体固定部２５とのなす角度はθ６となる。この際、壁面固定部材１の先端が、支持体固定部２５の上面側にははみ出さないように壁面固定部材１およびトラフ支持部材１３のサイズが設定される。壁面設置部１１の先端が支持体固定部２５の上面側にはみ出すと、支持体等の設置の妨げとなるためである。同様に、トラフ支持部材１３の先端が、壁面設置部１１側にはみ出さないように壁面固定部材１およびトラフ支持部材１３のサイズが設定される。壁面への固定の妨げとなるためである。
【００５０】
このような制約があるため、トラフ壁面固定部材１０ａもトラフ壁面設置部材と同様に、連結角度の調整範囲は所定範囲に制限される。例えば、図９〜図１０に示した例において、最も大きな角度θ４から最も小さな角度θ６としては、例えば、５５°〜２０°程度で設定される。すなわち、トラフ壁面固定部材１０ａを用いれば、水平面に対して、２０°〜５５°の壁面に対して、例えば２．５°毎に連結角度を調整することができる。
【００５１】
次に、トラフ壁面固定部材１０の使用状態を説明する。図１１および図１２は、トラフ壁面固定部材１０に対してトラフ２９を設置した状態を示す図である。なお、一例として、鉛直な壁面３１にトラフ２９を配置する状態を示す。
【００５２】
壁面固定部材１とトラフ支持部材１３とは、連結部３と連結部１５が固定部材で連結されるとともに、固定部材固定部９と固定部材固定部２１とが固定部材３５で固定される。この際、前述したように、固定部材固定部９と固定部材固定部２１のそれぞれの使用する固定部材挿通孔を適宜選択することで、壁面設置部１１と支持体固定部２５との角度を調整することができる。
【００５３】
壁面設置部１１は、壁面３１に対してアンカ３３によって固定される。この際、支持体固定部２５が、略水平となるように、連結角度が設定される。また、図１２に示すように、トラフ壁面固定部材１０は、例えば鉄道の軌道等に沿って、所定の間隔で設置される。
【００５４】
支持体固定部２５上には、支持体２７がボルトなどの固定部材等で固定される。支持体２７は、例えば枠状の部材である。支持体２７上には、トラフ２９が設置される。すなわち、トラフ２９は、支持体２７を介して、トラフ壁面固定部材１０によって支持され、壁面３１に対して固定される。以上のようにして、鉄道脇等にトラフ２９が設置される。
【００５５】
以上、本実施の形態によれば、壁面３１に対して確実にトラフ２９を設置することができる。この際、水平方向に対して、壁面３１の起立角度に応じて、壁面設置部１１と支持体固定部２５との角度を容易に調整することができる。したがって、あらゆる角度の壁面に対しても適用が可能であり、トラフ２９を略水平に設置することができる。
【００５６】
また、用いられるボルト孔などの固定部材挿通孔の配置角度は、固定部材挿通孔の径よりも小さくすることはできないが、内側固定部材挿通孔と外側固定部材挿通孔とを用い、互いに角度をずらして配置することで、固定部材挿通孔間隔の例えば１／２の精度で角度調整を行うことができる。すなわち、精度良くトラフ２９を水平に設置することができる。
【００５７】
また、壁面に凹凸等が形成される場合など、トラフ壁面設置部材の設置角度を微調整する必要がある場合であっても、上述したように、精度良くトラフ２９を水平に設置することができる。
【００５８】
また、壁面固定部材１およびトラフ支持部材１３は、金属板から容易に製造することができる。また、壁面設置部１１および支持体固定部２５が垂直に折り曲げられるため、軽量で強度の高いトラフ壁面固定部材１０を得ることができる。
【００５９】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６０】
例えば、壁面固定部材１の内側固定部材挿通孔５と外側固定部材挿通孔７とを異なる角度で配置し、トラフ支持部材１３の内側固定部材挿通孔１７と外側固定部材挿通孔１９とを連結部１５を通る同一直線状に形成してもよい。
【００６１】
図１３は、壁面固定部材１ａを示す図である。壁面固定部材１ａは、壁面固定部材１と略同様の構成であるが、内側固定部材挿通孔としての内側固定部材挿通孔５と外側固定部材挿通孔としての外側固定部材挿通孔７の相対的な配置が異なる。壁面固定部材１ａでは、内側固定部材挿通孔５と外側固定部材挿通孔７とは、連結部３を通る同一直線上にはない。すなわち、連結部３を中心として、内側固定部材挿通孔５と外側固定部材挿通孔７とは異なる角度で角度差を有するように配置される。
【００６２】
なお、内側固定部材挿通孔５同士は、連結部３を中心として、所定角度Ｄ（例えば５°）で併設される。同様に外側固定部材挿通孔７同士も、連結部３を中心として、所定角度Ｄ（例えば５°）で併設される。すなわち、内側固定部材挿通孔５と外側固定部材挿通孔７は、それぞれ、同一の角度で併設される。また、連結部３を中心として、内側固定部材挿通孔５と外側固定部材挿通孔７とのなす角度差Ｎは、例えば、前述の角度Ｄの１／２（例えば２．５°）で配置される。すなわち、角度差Ｎは、連結部３を中心とした相互に隣接する固定部材挿通孔同士（内側固定部材挿通孔５同士または外側固定部材挿通孔７同士）の配置角度差の１／２で配置される。
【００６３】
図１４は、壁面固定部材１ａと組み合わされるトラフ支持部材１３ｂを示す図である。トラフ支持部材１３ｂは、トラフ支持部材１３と略同様の構成であるが、内側固定部材挿通孔１７と外側固定部材挿通孔１９の相対的な配置が異なる。トラフ支持部材１３ｂでは、内側固定部材挿通孔１７と外側固定部材挿通孔１９とは、連結部１５を通る同一直線上に配置される。
【００６４】
壁面固定部材１ａとトラフ支持部材１３ｂとを連結しても、内側固定部材挿通孔を用いるか外側固定部材挿通孔を用いるかによって、それぞれの固定部材挿通孔の併設角度以下の角度で角度調整を行うことができる。なお、図８に示したトラフ支持部材１３ａについても、内側固定部材挿通孔１７と外側固定部材挿通孔１９とを連結部１５を通る同一直線上に配置することで、壁面固定部材１ａと連結して使用することができる。
【００６５】
このように、壁面固定部材とトラフ支持部材のそれぞれの内側固定部材挿通孔と外側固定部材挿通孔の内、一方の側の内側固定部材挿通孔と外側固定部材挿通孔とを連結部を中心として異なる直線上に配置すればよい。すなわち、連結部を中心として、内側固定部材挿通孔と外側固定部材挿通孔とが角度差を有するように配置すればよい。また、例えば、壁面固定部材１に複数の内側固定部材挿通孔５および外側固定部材挿通孔７を形成したが、トラフ支持部材１３に対して、複数の内側固定部材挿通孔１７および外側固定部材挿通孔１９を形成してもよい。この場合に、トラフ支持部材１３の内側固定部材挿通孔１７および外側固定部材挿通孔１９は、壁面固定部材１の内側固定部材挿通孔５および外側固定部材挿通孔７の配置に対応させて、同一直線上または所定角度だけ角度をずらして併設することもできる。
【００６６】
また、図１５に示すような壁面固定部材１ｂを用いることもできる。壁面固定部材１ｂは、壁面固定部材１と略同様の構成であるが、固定部材固定部９が内側固定部材挿通部５ａ、外側固定部材挿通部７ａで構成される点で異なる。
【００６７】
内側固定部材挿通部５ａは、それぞれ独立した孔ではなく、スリット３７によって、隣り合う内側固定部材挿通部５ａ同士が相互に連結する。すなわち、複数の内側固定部材挿通部５ａ同士がスリット３７によって一体化して設けられる。なお、内側固定部材挿通部５ａは、スリット３７よりも幅の大きな部位であり、スリット３７は、内側固定部材挿通部５ａに対して幅狭で、固定部材がスリット内に挿通できないよう、スリットの幅は、固定部材挿通部内における固定部材の寸法よりも小さく設定される。従って、固定部材がスリット位置にずれることがない。
【００６８】
同様に、外側固定部材挿通部７ａは、それぞれ独立した孔ではなく、スリット３７によって、隣り合う外側固定部材挿通部７ａ同士が相互に連結する。すなわち、複数の外側固定部材挿通部７ａ同士がスリット３７によって一体化して設けられる。なお、外側固定部材挿通部７ａは、スリット３７よりも幅の大きな部位であり、スリット３７は、外側固定部材挿通部７ａに対して幅狭となる。
【００６９】
このように、本発明では、内側固定部材挿通部および外側固定部材挿通部は、それぞれ独立した孔であってもよく、または、スリット３７を介して互いに連結して一体に形成してもよい。なお、壁面固定部材１ｂに対しても、内側固定部材挿通部と外側固定部材挿通部とが、連結部を中心として角度差を有するように配置してもよい。また、壁面固定部材ではなく、トラフ支持部材に対して同様の内側固定部材挿通部および外側固定部材挿通部を形成してもよい。
【００７０】
また、前述の実施例では、内側固定部材挿通孔と外側固定部材挿通孔の２列に固定部材挿通孔を形成する例を示したが、本発明はこれに限られない。例えば、３列以上に固定部材挿通孔を形成し、一方の側のそれぞれの固定部材挿通孔を、連結部を中心として互いに異なる角度に配置しても本発明を実施できる。
本発明における固定部材として、主としてボルトが用いられるが、ボルトの他に、リベットや割りピンなどの他の固定部材を用いることもできる。さらに、上記の他、ワイヤー、チェーン、シャックル、カラビナ、フックなど公知のその他の固定部材を用いて固定することもできる。
【符号の説明】
【００７１】
１、１ａ、１ｂ………壁面固定部材
３………連結部
５………内側固定部材挿通孔
５ａ………内側固定部材挿通部
７………外側固定部材挿通孔
７ａ………外側固定部材挿通部
９………固定部材固定部
１０、１０ａ………トラフ壁面設置部材
１１………壁面設置部
１２………孔
１３、１３ａ………トラフ支持部材
１５………連結部
１７………内側固定部材挿通孔
１９………外側固定部材挿通孔
２１………固定部材固定部
２３………孔
２５………支持体固定部
２７………支持体
２９………トラフ
３１………壁面
３３………アンカ
３５………固定部材
３７………スリット
【図１】
2014003883.tif 000003
【図２】
2014003883.tif 000004
【図３】
2014003883.tif 000005
【図４】
2014003883.tif 000006
【図５】
2014003883.tif 000007
【図６】
2014003883.tif 000008
【図７】
2014003883.tif 000009
【図８】
2014003883.tif 000010
【図９】
2014003883.tif 000011
【図１０】
2014003883.tif 000012
【図１１】
2014003883.tif 000013
【図１２】
2014003883.tif 000014
【図１３】
2014003883.tif 000015
【図１４】
2014003883.tif 000016
【図１５】
2014003883.tif 000017